(57)【要約】【課題】寸法管理を行いやすく、かつ通水路内で汚れが付着することを抑えることのできる排水トラップを提供する。【解決手段】排水トラップは、樹脂製の第一分割体１と第二分割体２を備える。第一分割体１は、通水路９１の内壁の一部分を構成する第一内壁部１１と、第一内壁部１１に沿って設けられた溶着面１３と段部１５を含む。第二分割体２は、通水路９１の内壁の別部分を構成する第二内壁部２１と、第二内壁部２１に沿って設けられた凸部２３を含む。溶着面１３に対して凸部２３が振動溶着され、段部１５と凸部２３との間には、振動溶着時に発生したバリ８を収容する空間３が形成される。【選択図】図３
2019065631.tif 000002
【特許請求の範囲】
【請求項１】
通水路を有するトラップ本体の一部分を構成する樹脂製の第一分割体と、
前記トラップ本体の別部分を構成する樹脂製の第二分割体を備え、
前記第一分割体は、
前記通水路の内壁の一部分を構成する第一内壁部と、
前記第二分割体に接合する箇所において、前記第一内壁部に沿って設けられた溶着面と、
前記溶着面に沿って、前記溶着面よりも突出するように設けられた段部を含み、
前記第二分割体は、
前記通水路の前記内壁の別部分を構成する第二内壁部と、
前記第一分割体に接合する箇所において、前記第二内壁部に沿って設けられた溶着用の凸部を含み、
前記溶着面に対して前記凸部が振動溶着され、前記段部と前記凸部との間には、振動溶着時に発生したバリを収容する空間が形成されている
ことを特徴とする排水トラップ。
【請求項２】
前記凸部は、前記第二内壁部に沿って設けられた凸条部である
ことを特徴とする請求項１に記載の排水トラップ。
【請求項３】
前記段部は、前記凸部を挟んだ両側に設けられている
ことを特徴とする請求項１または２に記載の排水トラップ。
【請求項４】
前記段部は、前記第二分割体に接触している
ことを特徴とする請求項１から請求項３のいずれか一項に記載の排水トラップ。
【請求項５】
共に樹脂製である第一分割体と第二分割体を溶着させ、通水路を有するトラップ本体を形成する溶着工程を備え、
前記第一分割体は、
前記通水路の内壁の一部分を構成する第一内壁部と、
前記第二分割体に接合する箇所において、前記第一内壁部に沿って設けられた溶着面と、
前記溶着面に沿って、前記溶着面よりも突出するように設けられた段部を含み、
前記第二分割体は、
前記通水路の前記内壁の別部分を構成する第二内壁部と、
前記第一分割体に接合する箇所において、前記第二内壁部に沿って設けられた溶着用の凸部を含み、
前記溶着工程では、
前記溶着面に対して前記凸部が振動溶着され、
前記段部と前記凸部との間には、この振動溶着時に発生したバリを収容する空間が形成される
ことを特徴とする排水トラップの製造方法。
【発明の詳細な説明】
【技術分野】
【０００１】
本発明は、樹脂製の排水トラップおよびこれの製造方法に関する。
【背景技術】
【０００２】
樹脂製の排水トラップとして、ブロー成形によって製造されるものが従来知られている（特許文献１等参照）。
【０００３】
しかし、ブロー成形では、一般的に排水トラップを精度よく形成しにくく、寸法管理を行いにくい場合がある。これに対して、特許文献２には、樹脂製の排水トラップを、振動溶着の手法を用いて製造することが記載されている。この手法によれば、ブロー成形の場合に比べて、排水トラップの寸法管理を行いやすい。
【先行技術文献】
【特許文献】
【０００４】
【特許文献１】特開２００７−１３８４９８号公報
【特許文献２】特開２０１３−１９９７８６号公報
【発明の概要】
【発明が解決しようとする課題】
【０００５】
振動溶着の手法を用いた場合には、振動溶着の際にバリが発生する。このバリが通水路内に露出すると、バリに汚れが付着することで、通水路内で汚れが付着しやすくなる。
【０００６】
本発明は、寸法管理を行いやすく、かつ通水路内で汚れが付着することを抑えることのできる排水トラップおよびこれの製造方法を提供することを、目的とする。
【課題を解決するための手段】
【０００７】
本発明の一様態に係る排水トラップは、通水路を有するトラップ本体の一部分を構成する樹脂製の第一分割体と、前記トラップ本体の別部分を構成する樹脂製の第二分割体を備える。
【０００８】
前記第一分割体は、前記通水路の内壁の一部分を構成する第一内壁部と、前記第二分割体に接合する箇所において、前記第一内壁部に沿って設けられた溶着面と、前記溶着面に沿って、前記溶着面よりも突出するように設けられた段部を含む。
【０００９】
前記第二分割体は、前記通水路の前記内壁の別部分を構成する第二内壁部と、前記第一分割体に接合する箇所において、前記第二内壁部に沿って設けられた溶着用の凸部を含む。
【００１０】
前記溶着面に対して前記凸部が振動溶着され、前記段部と前記凸部との間には、振動溶着時に発生したバリを収容する空間が形成されている。
【００１１】
本発明の一様態に係る排水トラップの製造方法は、共に樹脂製である第一分割体と第二分割体を溶着させ、通水路を有するトラップ本体を形成する溶着工程を備える。
【００１２】
前記第一分割体は、前記通水路の内壁の一部分を構成する第一内壁部と、前記第二分割体に接合する箇所において、前記第一内壁部に沿って設けられた溶着面と、前記溶着面に沿って、前記溶着面よりも突出するように設けられた段部を含む。
【００１３】
前記第二分割体は、前記通水路の前記内壁の別部分を構成する第二内壁部と、前記第一分割体に接合する箇所において、前記第二内壁部に沿って設けられた溶着用の凸部を含む。
【００１４】
前記溶着工程では、前記溶着面に対して前記凸部が振動溶着され、前記段部と前記凸部との間には、この振動溶着時に発生したバリを収容する空間が形成される。
【発明の効果】
【００１５】
本発明は、寸法管理を行いやすく、かつ通水路内で汚れが付着することを抑えることができるという効果を奏する。
【図面の簡単な説明】
【００１６】
【図１】図１は、一実施形態の排水トラップの正面図である。
【図２】図２は、図１のＡ−Ａ線断面図である。
【図３】図３は、図２のＰ部拡大図である。
【図４】図４は、図２のＰ部に対応する部分の振動溶着前の状態を示す断面図である。
【図５】図５は、同上の排水トラップの第一分割体と第二分割体の接合前の状態を示す正面図である。
【図６】図６は、変形例の排水トラップの正面図である。
【図７】図７は、図６のＢ−Ｂ線断面図である。
【図８】図８は、同上の排水トラップの第一分割体と第二分割体の接合前の状態を示す正面図である。
【図９】図９は、図８のＣ矢視図である。
【図１０】図１０は、図８のＤ矢視図である。
【発明を実施するための形態】
【００１７】
［一実施形態］
一実施形態の排水トラップについて、図１から図５に基づいて説明する。
【００１８】
図１等に示すように、一実施形態の排水トラップは、Ｓ字状の通水路９１が形成されたトラップ本体９を備える。トラップ本体９は、通水路９１の上流端を構成する流入口９２と、通水路９１の下流端を構成する流出口９３を備える。
【００１９】
さらにトラップ本体９は、通水路９１内の封水を抜くことのできる水抜き口９４と、通水路９１内に高圧洗浄用のノズル（図示略）を挿入することのできる挿入口９５を備える。水抜き口９４は、通水路９１に含まれる二箇所の曲げ部９１２，９１４のうち、流入口９２に近い側の曲げ部９１２とつながるように設けられている。挿入口９５は、二箇所の曲げ部９１２，９１４のうち、流出口９３に近い側の曲げ部９１４とつながるように設けられている。
【００２０】
トラップ本体９の形態は、いわゆるＳ字トラップの形態であるが、トラップ本体９の形態はこれに限定されず、いわゆるＰ字トラップ等の他の形態でも構わない。
【００２１】
トラップ本体９は、樹脂材料（ポリプロピレン）によって一体的に形成されているが、製造段階では、図５に示す第一分割体１と第二分割体２に分割された形態である。第一分割体１と第二分割体２は共に樹脂製（ポリプロピレン製）であり、両分割体１，２が互いに突き合わさった状態で接合することで、トラップ本体９が形成される。
【００２２】
第一分割体１は、平面視Ｓ字状の凹溝を形成する第一内壁部１１と、第一内壁部１１が形成する凹溝に連通するように設けられた流入口９２、流出口９３、水抜き口９４および挿入口９５を備える。第一内壁部１１が形成する凹溝は、Ｓ字状の開口１１０を有する。
【００２３】
さらに第一分割体１は、開口１１０を全周に亘って囲むように、開口１１０の縁に沿って一つながりに形成された溶着面１３と、同じく開口１１０を全周に亘って囲むように、開口１１０の縁に沿って一つながりに形成された凸状の段部１５を備える。
【００２４】
段部１５は、溶着面１３の両側の端縁に設けられている。溶着面１３の両側の端縁は、開口１１０に近い側（内側)の端縁と、開口１１０から離れた側（外側)の端縁である。
【００２５】
両側の段部１５は、溶着面１３と直交する方向に向けて突出するように設けられた凸状の段部である。溶着面１３は、これを挟んで位置する両側の段部１５を基準として視たときに、一段凹んだ溝の底面のように形成されている。樹脂製である溶着面１３は、後述の凸部２３が溶着される面である。
【００２６】
第二分割体２は、平面視Ｓ字状の凹溝を形成する第二内壁部２１を備える。第二内壁部２１が形成する凹溝は、Ｓ字状の開口２１０を有する。第二分割体２の開口２１０は、第一分割体１の開口１１０を反転させた形状を有する。
【００２７】
さらに第二分割体２は、開口２１０を全周に亘って囲むように、開口２１０の縁に沿って一つながりに形成された端面２２と、端面２２の幅方向の中央部から突出した凸部２３を備える。凸部２３は、開口２１０を全周に亘って囲むように、開口２１０の縁に沿って一つながりに形成された凸条部である。ここでの凸条部は、細長い筋状の凸部を意味する。
【００２８】
樹脂製である凸部２３の先端部が、第一分割体１の溶着面１３に対して溶着される。
【００２９】
第一分割体１と第二分割体２が接合された状態において、比較的深い凹溝を形成する第一内壁部１１が、通水路９１の内壁の大部分を構成する。比較的浅い凹溝を形成する第二内壁部２１が、通水路９１の内壁の他の部分を構成する。一実施形態においては、第二分割体２が、第一分割体１の開口１１０を塞ぐ蓋として機能している。
【００３０】
なお、第一分割体1と第二分割体２が備える上記の構造は一例に過ぎない。たとえば、第二内壁部２１が平坦な壁であってもよい。この場合も、第二分割体２は、第一分割体１の開口１１０を塞ぐ蓋として機能する。
【００３１】
第一内壁部１１が形成する凹溝の深さと、第二内壁部２１が形成する凹溝の深さは、同程度であってもよい。この場合、第一分割体１と第二分割体２は、トラップ本体９を半割りしたような形状となる。
【００３２】
また、第二内壁部２１が形成する凹溝が比較的深く、第一内壁部１１が形成する凹溝が比較的浅くてもよいし、あるいは、第一内壁部１１が平坦な壁であってもよい。この場合には、第一分割体１が、第二分割体２の開口２１０を塞ぐ蓋として機能する。
【００３３】
また、一実施形態においては、流入口９２、流出口９３、水抜き口９４および挿入口９５が第一分割体１に備えられているが、これらのうち少なくとも一つが、第二分割体２に備えられてもよい。
【００３４】
次に、第一分割体１と第二分割体２を用いて、一実施形態の排水トラップを製造する方法について述べる。
【００３５】
この方法は、溶着工程を備える。溶着工程は、共に樹脂製である第一分割体１と第二分割体２を、振動溶着によって水密に接合させる工程である。溶着工程を経ることで、通水路９１を有する樹脂製のトラップ本体９が形成される。
【００３６】
第一分割体１は、上述したように、通水路９１の内壁の一部分を構成するように凹状に設けられた第一内壁部１１と、第一内壁部１１の縁（つまり開口１１０の縁）に沿って設けられた溶着面１３と、溶着面１３を挟んで内外の両側に形成された段部１５を備えている。
【００３７】
両側の段部１５は、溶着面１３に沿って形成されている。即ち、両側の段部１５は、第一内壁部１１の縁に沿うように形成されている。両側の段部１５は、溶着面１３よりも所定寸法ｄ１（図４等参照）だけ突出している。
【００３８】
第二分割体２は、上述したように、通水路９１の内壁の別部分（前記一部分を除く部分）を構成するように凹状に設けられた第二内壁部２１と、第二内壁部２１の縁（つまり開口２１０の縁）に沿って設けられた端面２２および凸部２３を備えている。
【００３９】
凸部２３は、端面２２のうち幅方向の両端から距離をあけた部分（端面２２の幅方向の中央部）から、端面２２と直交する方向に向けて所定寸法ｄ２（図４等参照）だけ突出している。
【００４０】
凸部２３が突出する所定寸法ｄ２は、所定寸法ｄ１よりも僅かに（たとえば数ミリだけ）長く設定されている。
【００４１】
溶着工程では、図４に示すように、第一分割体１が有する溶着面１３に対して、凸部２３の先端が当たるように第二分割体２がセットされる。このとき、第一分割体１が有する両側の段部１５は、第二分割体２が有する端面２２の幅方向の両端部に、僅かな距離をあけて対向する。両側の段部１５と凸部２３は、一方向Ｘにおいて所定の寸法ｄ３だけ離れて位置する。
【００４２】
ここで、第二分割体２が、第一分割体１に押し付けられた状態で一方向Ｘに往復動されると、凸部２３と溶着面１３の間で摩擦熱が生じ、この熱によって凸部２３の先端部が、溶着面１３に対して強固にかつ水密に溶着（振動溶着）される。
【００４３】
第二分割体２が第一分割体１に対して相対的に往復動される一方向Ｘは、溶着面１３と平行である。両側の段部１５と凸部２３の間の一方向Ｘの距離（所定の寸法ｄ３）は、振動溶着の一方向Ｘの振幅（片側の振幅）よりも大きく設定されている。これにより、振動溶着の際に、凸部２３が両側の段部１５に当たることが抑えられている。
【００４４】
以上の溶着工程を経て製造されたトラップ本体９において、両側の段部１５と凸部２３の間には、一方向Ｘにおいて所定の寸法ｄ３を有する空間３が、形成される（図３参照）。
【００４５】
空間３は、振動溶着によって突出寸法が所定寸法ｄ１に至るまで短くなった凸部２３と、これに隣接する段部１５と、端面２２の一部分２２１と、溶着面１３の一部分１３１との間に、形成されている。端面２２の一部分２２１は、端面２２のうち凸部２３と段部１５の間に位置する部分である。溶着面１３の一部分１３１は、溶着面１３のうち凸部２３と段部１５の間に位置する部分である。
【００４６】
振動溶着によって短くなった凸部２３の先端部からは、バリ８が発生するが、ここで発生したバリ８は空間３に収容される。トラップ本体９の通水路９１と空間３は、段部１５によって仕切られる。したがって、一実施形態の排水トラップによれば、振動溶着の際に発生したバリ８に汚れが付着することが抑えられる。
【００４７】
第一分割体１の段部１５は、第二分割体２の端面２２に接触することが好ましいが、端面２２と非接触でも構わない。
【００４８】
また、第一分割体１の段部１５は、溶着面１３を挟んだ両側に設けられているが、これに限定されない。第一分割体１の段部１５は、少なくとも、溶着面１３と第一内壁部１１（通水路９１）の間に位置する部分に設けられればよい。
【００４９】
［変形例］
変形例の排水トラップについて、図６から図１０に基づいて説明する。
【００５０】
変形例の排水トラップの基本的な構成は、一実施形態で述べた構成と同様である。したがって、変形例の排水トラップの構成のうち、一実施形態で述べた構成と共通のものには、同一符号を付している。
【００５１】
図６等に示すように、変形例の排水トラップが備えるトラップ本体９は、通水路９１、流入口９２、流出口９３、水抜き口９４および挿入口９５を備えたＳ字トラップであり、製造段階においては、図８に示すような第一分割体１と第二分割体２に分割された形態を有する。
【００５２】
変形例において、トラップ本体９を第一分割体１と第二分割体２に分割する面（仮想的な分割面）は、一実施形態における分割面とは直交するような面に設定されている。
【００５３】
第一分割体１は、通水路９１の内壁の半部を構成する第一内壁部１１と、第一内壁部１１につながるように形成された流入口９２および挿入口９５を備える。図９に示すように、第一内壁部１１が形成する溝部分は、並設された複数（三個）の開口１１０を有する。
【００５４】
第一分割体１は、複数の開口１１０の各々を囲むように形成された一つながりの溶着面１３と、複数の開口１１０の各々を囲むように形成された凸状の段部１５を備える。段部１５は、溶着面１３の内側の端縁（各開口１１０に近い側の端縁）と、溶着面１３の外側の端縁（各開口１１０から離れた側の端縁）に沿って設けられている。溶着面１３の外側の端縁に沿って設けられた段部１５は、全体が一つながりに設けられている。溶着面１３の内側の端縁に沿って設けられた段部１５は、各開口１１０を囲む部分が分離して設けられている。
【００５５】
第二分割体２は、通水路９１の内壁の残り半部を構成する第二内壁部２１と、第二内壁部２１につながるように形成された流出口９３および水抜き口９４を備える。図１０に示すように、第二内壁部２１が形成する溝部分は、並設された複数（三個）の開口２１０を有する。第二分割体２の複数の開口２１０は、第一分割体１の複数の開口１１０を反転させた形状を有する。
【００５６】
第二分割体２は、複数の開口２１０の各々の全周を囲むように形成された端面２２と、端面２２の幅方向の中央部から突出した凸部２３を備える。端面２２と凸部２３は共に、全体が一つながりに形成されている。
【００５７】
変形例のトラップ本体９を製造するための溶着工程においても、共に樹脂製である第一分割体１と第二分割体２を、振動溶着によって接合させる。
【００５８】
ここで行う溶着工程は、基本的に、一実施形態において述べた溶着工程と同様である。つまり、変形例においても、第一分割体１が有する溶着面１３に対して、凸部２３の先端が当たるように第二分割体２がセットされ、第二分割体２が第一分割体１に対して相対的に往復動されることにより、凸部２３の先端部が溶着面１３に振動溶着される。
【００５９】
このとき凸部２３から発生したバリ８（図７参照）は、凸部２３と両側の段部１５との間に形成された空間３に、収容される。変形例のトラップ本体９においても、通水路９１と空間３は段部１５で仕切られるので、バリ８に汚れが付着することが抑えられる。
【００６０】
なお、トラップ本体９が第一分割体１と第二分割体２に分割される形態は上記形態に限定されず、トラップ本体９が、他の分割面で第一分割体１と第二分割体２に分割されてもよい。
【００６１】
なお、排水トラップの他の構成においても、適宜の変形を行うことが可能である。たとえば、一実施形態の排水トラップでは、凸部２３は一つながりの筋状に形成されているが、これに限定されず、途中で分断された形状とすることも可能である。
【００６２】
［作用効果］
以上説明した一実施形態とその変形例から明らかなように、第１の形態の排水トラップは、通水路９１を有するトラップ本体９の一部分を構成する樹脂製の第一分割体１と、トラップ本体９の別部分を構成する樹脂製の第二分割体２を備える。
【００６３】
第一分割体１は、通水路９１の内壁の一部分を構成する第一内壁部１１と、第二分割体２に接合する箇所において、第一内壁部１１に沿って設けられた溶着面１３と、溶着面１３に沿って、溶着面１３よりも突出するように設けられた段部１５を含む。
【００６４】
第二分割体２は、通水路９１の内壁の別部分を構成する第二内壁部２１と、第一分割体１に接合する箇所において、第二内壁部２１に沿って設けられた溶着用の凸部２３を含む。
【００６５】
溶着面１３に対して凸部２３が振動溶着され、段部１５と凸部２３との間には、振動溶着時に発生したバリ８を収容する空間３が形成されている。
【００６６】
したがって、第１の形態の排水トラップによれば、振動溶着の手法を用いているために寸法管理を行いやすく、かつ、振動溶着の際に発生したバリ８が通水路９１に露出することが抑えられるので、通水路９１内で汚れが付着することが抑制される。
【００６７】
第２の形態の排水トラップでは、第１の形態の排水トラップにおいて、凸部２３は、第二内壁部２１に沿って設けられた凸条部である。
【００６８】
したがって、第２の形態の排水トラップによれば、振動溶着された箇所の止水性が一層高められる。
【００６９】
第３の形態の排水トラップでは、第１または２の形態の排水トラップにおいて、段部１５は、凸部２３を挟んだ両側に設けられている。
【００７０】
したがって、第３の形態の排水トラップによれば、振動溶着の際に発生したバリ８に汚れが付着することがより効果的に抑えられる。
【００７１】
第４の形態の排水トラップでは、第１から第３のいずれか一つの形態の排水トラップにおいて、段部１５は第二分割体２に接触している。
【００７２】
したがって、第３の形態の排水トラップによれば、振動溶着の際に発生したバリ８に汚れが付着することがより効果的に抑えられる。
【００７３】
第１の形態の排水トラップの製造方法は、共に樹脂製である第一分割体１と第二分割体２を溶着させ、通水路９１を有するトラップ本体９を形成する溶着工程を備える。
【００７４】
第一分割体１は、通水路９１の内壁の一部分を構成する第一内壁部１１と、第二分割体２に接合する箇所において、第一内壁部１１に沿って設けられた溶着面１３と、溶着面１３に沿って、溶着面１３よりも突出するように設けられた段部１５を含む。
【００７５】
第二分割体２は、通水路９１の内壁の別部分を構成する第二内壁部２１と、第一分割体１に接合する箇所において、第二内壁部２１に沿って設けられた溶着用の凸部２３を含む。
【００７６】
溶着工程では、溶着面１３に対して凸部２３が振動溶着される。段部１５と凸部２３との間には、この振動溶着時に発生したバリ８を収容する空間３が形成される。
【００７７】
したがって、第１の形態の排水トラップの製造方法によれば、振動溶着の手法を用いるために寸法管理を行いやすく、かつ、振動溶着の際に発生したバリ８が通水路９１に露出することが抑えられるので、通水路９１内で汚れが付着することが抑制される。
【符号の説明】
【００７８】
１  第一分割体
１１  第一内壁部
１３  溶着面
１５  段部
２  第二分割体
２１  第二内壁部
２３  凸部
３  空間
８  バリ
９  トラップ本体
９１  通水路
【図１】
2019065631.tif 000003
【図２】
2019065631.tif 000004
【図３】
2019065631.tif 000005
【図４】
2019065631.tif 000006
【図５】
2019065631.tif 000007
【図６】
2019065631.tif 000008
【図７】
2019065631.tif 000009
【図８】
2019065631.tif 000010
【図９】
2019065631.tif 000011
【図１０】
2019065631.tif 000012